【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信のための方法であって、
第１の周波数帯域中の第１の周波数を使用してサービング基地局と通信することと、
発見スキャン間隔中に第２の周波数帯域中の第２の周波数上で、発見スキャンプロシージャを実行することに関連する情報を、前記サービング基地局に送信すること、前記第２の周波数は、前記第１の周波数とは異なる、と、
前記発見スキャン間隔中に前記サービング基地局からの１つまたは複数のダウンリンク送信をスキップする能力を識別することと、
前記サービング基地局から応答を受信することと、
前記受信された応答に少なくとも部分的に基づいて、前記発見スキャン間隔中に前記サービング基地局からの前記１つまたは複数のダウンリンク送信の第１の部分をスキップすることと、
前記受信された応答に少なくとも部分的に基づいて、前記発見スキャン間隔中に前記サービング基地局からの前記１つまたは複数のダウンリンク送信の第２の部分を受信することと
を備える、方法。
【請求項２】
前記発見スキャン間隔中に前記第２の周波数にチューンすることと、
前記発見スキャン間隔中に前記サービング基地局からの前記１つまたは複数のダウンリンク送信をスキップすることと
をさらに備える、請求項１に記載の方法。
【請求項３】
前記応答は、前記発見スキャン間隔中に前記サービング基地局からの前記１つまたは複数のダウンリンク送信の前記少なくとも一部分をスキップする許可を備える、
請求項１に記載の方法。
【請求項４】
前記応答は、前記サービング基地局からの前記１つまたは複数のダウンリンク送信に関連するビットマップを備え、前記ビットマップは、前記ＵＥがスキップすることを可能にされる前記１つまたは複数のダウンリンク送信の前記第１の部分と、前記ＵＥがスキップすることを可能にされない前記１つまたは複数のダウンリンク送信の前記第２の部分とを識別する、
請求項１に記載の方法。
【請求項５】
ワイヤレス通信のための装置であって、
第１の周波数帯域中の第１の周波数を使用してサービング基地局と通信するための手段と、
発見スキャン間隔中に第２の周波数帯域中の第２の周波数上で、発見スキャンプロシージャを実行することに関連する情報を、前記サービング基地局に送信するための手段、前記第２の周波数は、前記第１の周波数とは異なる、と、
前記発見スキャン間隔中に前記サービング基地局からの１つまたは複数のダウンリンク送信をスキップする能力を識別するための手段と、
前記サービング基地局から応答を受信するための手段と、
前記受信された応答に少なくとも部分的に基づいて、前記発見スキャン間隔中に前記サービング基地局からの前記１つまたは複数のダウンリンク送信の第１の部分をスキップするための手段と、
前記受信された応答に少なくとも部分的に基づいて、前記発見スキャン間隔中に前記サービング基地局からの前記１つまたは複数のダウンリンク送信の第２の部分を受信するための手段と
を備える、装置。
【請求項６】
前記発見スキャン間隔中に前記第２の周波数にチューンするための手段と、
前記発見スキャン間隔中に前記サービング基地局からの前記１つまたは複数のダウンリンク送信をスキップするための手段と
をさらに備える、請求項５に記載の装置。
【請求項７】
前記応答は、前記サービング基地局からの前記１つまたは複数のダウンリンク送信に関連するビットマップを備え、前記ビットマップは、前記ＵＥがスキップすることを可能にされる前記１つまたは複数のダウンリンク送信の前記第１の部分と、前記ＵＥがスキップすることを可能にされない前記１つまたは複数のダウンリンク送信の前記第２の部分とを識別する、
請求項５に記載の装置。
【請求項８】
サービンング基地局におけるワイヤレス通信のための方法であって、
第１の周波数帯域中の第１の周波数を使用してユーザ機器（ＵＥ）と通信することと、
発見スキャン間隔中に第２の周波数帯域中の第２の周波数上で、前記ＵＥが発見スキャンプロシージャを実行することに関連する情報を、前記ＵＥから受信すること、前記第２の周波数は、前記第１の周波数とは異なる、と、
前記ＵＥが前記発見スキャン間隔中にスキップすることを可能にされる１つまたは複数のダウンリンク送信の第１の部分と、前記ＵＥが前記発見スキャン間隔中にスキップすることを可能にされない前記１つまたは複数のダウンリンク送信の第２の部分とを決定することと、
前記ＵＥが前記発見スキャン間隔中に前記１つまたは複数のダウンリンク送信をスキップすることを可能にされるかどうかを示す応答を、前記ＵＥに送ることと
を備える、方法。
【請求項９】
前記ＵＥが前記発見スキャン間隔中に前記１つまたは複数のダウンリンク送信をスキップすることが可能であることを示す能力メッセージを、前記ＵＥから受信することをさらに備える、
請求項８に記載の方法。
【請求項１０】
前記応答は、前記ＵＥが前記発見スキャン間隔中にスキップすることを可能にされる前記１つまたは複数のダウンリンク送信の前記第１の部分を識別する、
請求項８に記載の方法。
【請求項１１】
前記応答は、前記ＵＥが前記発見スキャン間隔中にスキップすることを可能にされない前記１つまたは複数のダウンリンク送信の前記第２の部分を識別する、
請求項１０に記載の方法。
【請求項１２】
ワイヤレス通信のための装置であって、
第１の周波数帯域中の第１の周波数を使用してユーザ機器（ＵＥ）と通信するための手段と、
発見スキャン間隔中に第２の周波数帯域中の第２の周波数上で、前記ＵＥが発見スキャンプロシージャを実行することに関連する情報を、前記ＵＥから受信するための手段、前記第２の周波数は、前記第１の周波数とは異なる、と、
前記ＵＥが前記発見スキャン間隔中にスキップすることを可能にされる１つまたは複数のダウンリンク送信の第１の部分と、前記ＵＥが前記発見スキャン間隔中にスキップすることを可能にされない前記１つまたは複数のダウンリンク送信の第２の部分とを決定するための手段と、
前記ＵＥが前記発見スキャン間隔中に前記１つまたは複数のダウンリンク送信をスキップすることを可能にされるかどうかを示す応答を、前記ＵＥに送るための手段と
を備える、装置。
【請求項１３】
前記応答は、前記ＵＥが前記発見スキャン間隔中にスキップすることを可能にされる前記１つまたは複数のダウンリンク送信の前記第１の部分を識別する、
請求項１２に記載の装置。
【請求項１４】
前記応答は、前記ＵＥが前記発見スキャン間隔中にスキップすることを可能にされない前記１つまたは複数のダウンリンク送信の前記第２の部分を識別する、
請求項１３に記載の装置。
【請求項１５】
請求項１乃至４または請求項８乃至１１のいずれか１項に記載の方法を実行するための命令を備えるコンピュータプログラム。
【手続補正２】
【補正対象書類名】明細書
【補正対象項目名】０１３０
【補正方法】変更
【補正の内容】
【０１３０】
[0144]本開示についての以上の説明は、当業者が本開示を作成または使用することができるように与えたものである。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
以下に、本願出願の当初の特許請求の範囲に記載された発明を付記する。
［Ｃ１］
ユーザ機器（ＵＥ）におけるワイヤレス通信のための方法であって、
第１の周波数帯域中の第１の周波数を使用してサービング基地局と通信することと、
発見スキャン間隔中に第２の周波数帯域中の第２の周波数上で、発見スキャンプロシージャを実行することに関連する情報を、前記サービング基地局に送信すること、前記第２の周波数は、前記第１の周波数とは異なる、と、
前記発見スキャン間隔中に前記サービング基地局からの１つまたは複数のダウンリンク送信をスキップする能力を識別することと
を備える、方法。
［Ｃ２］
前記発見スキャン間隔中に前記第２の周波数にチューンすることと、
前記発見スキャン間隔中に前記サービング基地局からの前記１つまたは複数のダウンリンク送信をスキップすることと
をさらに備える、［Ｃ１］に記載の方法。
［Ｃ３］
前記サービング基地局から応答を受信することと、
前記受信された応答に少なくとも部分的に基づいて、前記発見スキャン間隔中に前記サービング基地局からの前記１つまたは複数のダウンリンク送信の少なくとも一部分をスキップすることと
をさらに備える、［Ｃ１］に記載の方法。
［Ｃ４］
前記応答は、前記発見スキャン間隔中に前記サービング基地局からの前記１つまたは複数のダウンリンク送信の前記少なくとも一部分をスキップする許可を備える、
［Ｃ３］に記載の方法。
［Ｃ５］
前記受信された応答に少なくとも部分的に基づいて、前記発見スキャン間隔中に前記サービング基地局からの前記１つまたは複数のダウンリンク送信の第１の部分をスキップすることと、
前記受信された応答に少なくとも部分的に基づいて、前記発見スキャン間隔中に前記サービング基地局からの前記１つまたは複数のダウンリンク送信の第２の部分を受信することと
をさらに備える、［Ｃ３］に記載の方法。
［Ｃ６］
前記応答は、前記サービング基地局からの前記１つまたは複数のダウンリンク送信に関連するビットマップを備え、前記ビットマップは、前記ＵＥがスキップすることを可能にされる前記１つまたは複数のダウンリンク送信の第１の部分と、前記ＵＥがスキップすることを可能にされない前記１つまたは複数のダウンリンク送信の第２の部分とを識別する、
［Ｃ３］に記載の方法。
［Ｃ７］
前記発見スキャン間隔に関連するタイミング情報を前記サービング基地局に送ることをさらに備える、
［Ｃ１］に記載の方法。
［Ｃ８］
前記タイミング情報は、前記ＵＥが前記サービング基地局からの前記１つまたは複数のダウンリンク送信をスキップする、１つまたは複数のサブフレームの識別情報を備える、
［Ｃ７］に記載の方法。
［Ｃ９］
前記サービング基地局と、前記発見スキャンプロシージャに関連する前記発見信号を送信する別のデバイスとの間のタイミング差に基づいて、前記１つまたは複数のサブフレームを選択することをさらに備える、
［Ｃ８］に記載の方法。
［Ｃ１０］
前記第２の周波数帯域にチューンすることおよびそれからチューンアウェイすることに関連するタイミングパラメータを決定することと、
前記タイミングパラメータを考慮すべき前記１つまたは複数のサブフレームを選択することと
をさらに備える、［Ｃ８］に記載の方法。
［Ｃ１１］
前記サービング基地局は、第１のネットワークに関連し、前記発見スキャンプロシージャが第２のネットワークに関連し、前記第１のネットワークが前記第２のネットワークとは異なる、
［Ｃ１］に記載の方法。
［Ｃ１２］
前記発見スキャンプロシージャは、デバイスツーデバイス発見プロシージャである、
［Ｃ１］に記載の方法。
［Ｃ１３］
ワイヤレス通信のための装置であって、
プロセッサと、
前記プロセッサと電子通信しているメモリと、
前記メモリに記憶された命令と
を備え、前記命令は、
第１の周波数帯域中の第１の周波数を使用してサービング基地局と通信することと、
発見スキャン間隔中に第２の周波数帯域中の第２の周波数上で、発見スキャンプロシージャを実行することに関連する情報を、前記サービング基地局に送信すること、前記第２の周波数は、前記第１の周波数とは異なる、と、
前記発見スキャン間隔中に前記サービング基地局からの１つまたは複数のダウンリンク送信をスキップする能力を識別することと
を行うために前記プロセッサによって実行可能である、装置。
［Ｃ１４］
前記発見スキャン間隔中に前記第２の周波数にチューンすることと、
前記発見スキャン間隔中に前記サービング基地局からの前記１つまたは複数のダウンリンク送信をスキップすることと
を行うために前記プロセッサによって実行可能な命令をさらに備える、［Ｃ１３］に記載の装置。
［Ｃ１５］
前記サービング基地局から応答を受信することと、
前記受信された応答に少なくとも部分的に基づいて、前記発見スキャン間隔中に前記サービング基地局からの前記１つまたは複数のダウンリンク送信の少なくとも一部分をスキップすることと
を行うために前記プロセッサによって実行可能な命令をさらに備える、［Ｃ１３］に記載の装置。
［Ｃ１６］
前記応答は、前記発見スキャン間隔中に前記サービング基地局からの前記１つまたは複数のダウンリンク送信の前記少なくとも一部分をスキップする許可を備える、
［Ｃ１５］に記載の装置。
［Ｃ１７］
前記受信された応答に少なくとも部分的に基づいて、前記発見スキャン間隔中に前記サービング基地局からの前記１つまたは複数のダウンリンク送信の第１の部分をスキップすることと、
前記受信された応答に少なくとも部分的に基づいて、前記発見スキャン間隔中に前記サービング基地局からの前記１つまたは複数のダウンリンク送信の第２の部分を受信することと
を行うために前記プロセッサによって実行可能な命令をさらに備える、［Ｃ１５］に記載の装置。
［Ｃ１８］
前記応答は、前記サービング基地局からの前記１つまたは複数のダウンリンク送信に関連するビットマップを備え、前記ビットマップは、前記ＵＥがスキップすることを可能にされる前記１つまたは複数のダウンリンク送信の第１の部分と、前記ＵＥがスキップすることを可能にされない前記１つまたは複数のダウンリンク送信の第２の部分とを識別する、
［Ｃ１５］に記載の装置。
［Ｃ１９］
前記発見スキャン間隔に関連するタイミング情報を前記サービング基地局に送ることを行うために前記プロセッサによって実行可能な命令をさらに備える、
［Ｃ１３］に記載の装置。
［Ｃ２０］
前記タイミング情報は、前記ＵＥが前記サービング基地局からの前記１つまたは複数のダウンリンク送信をスキップする、１つまたは複数のサブフレームの識別情報を備える、
［Ｃ１９］に記載の装置。
［Ｃ２１］
前記サービング基地局と、前記発見スキャンプロシージャに関連する前記発見信号を送信する別のデバイスとの間のタイミング差に基づいて、前記１つまたは複数のサブフレームを選択することを行うために前記プロセッサによって実行可能な命令をさらに備える、
［Ｃ２０］に記載の装置。
［Ｃ２２］
前記第２の周波数帯域にチューンすることおよびそれからチューンアウェイすることに関連するタイミングパラメータを決定することと、
前記タイミングパラメータを考慮すべき前記１つまたは複数のサブフレームを選択することと
を行うために前記プロセッサによって実行可能な命令をさらに備える、［Ｃ２０］に記載の装置。
［Ｃ２３］
前記サービング基地局は、第１のネットワークに関連し、前記発見スキャンプロシージャは、第２のネットワークに関連し、前記第１のネットワークは、前記第２のネットワークとは異なる、
［Ｃ１３］に記載の装置。
［Ｃ２４］
前記発見スキャンプロシージャは、デバイスツーデバイス発見プロシージャである、
［Ｃ１３］に記載の装置。
［Ｃ２５］
ワイヤレス通信のための装置であって、
第１の周波数帯域中の第１の周波数を使用してサービング基地局と通信するための手段と、
発見スキャン間隔中に第２の周波数帯域中の第２の周波数上で、発見スキャンプロシージャを実行することに関連する情報を、前記サービング基地局に送信するための手段、前記第２の周波数は、前記第１の周波数とは異なる、と、
前記発見スキャン間隔中に前記サービング基地局からの１つまたは複数のダウンリンク送信をスキップする能力を識別するための手段と
を備える、装置。
［Ｃ２６］
前記発見スキャン間隔中に前記第２の周波数にチューンするための手段と、
前記発見スキャン間隔中に前記サービング基地局からの前記１つまたは複数のダウンリンク送信をスキップするための手段と
をさらに備える、［Ｃ２５］に記載の装置。
［Ｃ２７］
前記サービング基地局から応答を受信するための手段と、
前記受信された応答に少なくとも部分的に基づいて、前記発見スキャン間隔中に前記サービング基地局からの前記１つまたは複数のダウンリンク送信の少なくとも一部分をスキップするための手段と
をさらに備える、［Ｃ２５］に記載の装置。
［Ｃ２８］
前記応答は、前記発見スキャン間隔中に前記サービング基地局からの前記１つまたは複数のダウンリンク送信の前記少なくとも一部分をスキップする許可を備える、
［Ｃ２７］に記載の装置。
［Ｃ２９］
前記受信された応答に少なくとも部分的に基づいて、前記発見スキャン間隔中に前記サービング基地局からの前記１つまたは複数のダウンリンク送信の第１の部分をスキップするための手段と、
前記受信された応答に少なくとも部分的に基づいて、前記発見スキャン間隔中に前記サービング基地局からの前記１つまたは複数のダウンリンク送信の第２の部分を受信するための手段と
をさらに備える、［Ｃ２７］に記載の装置。
［Ｃ３０］
前記応答は、前記サービング基地局からの前記１つまたは複数のダウンリンク送信に関連するビットマップを備え、前記ビットマップは、前記ＵＥがスキップすることを可能にされる前記１つまたは複数のダウンリンク送信の第１の部分と、前記ＵＥがスキップすることを可能にされない前記１つまたは複数のダウンリンク送信の第２の部分とを識別する、
［Ｃ２７］に記載の装置。
［Ｃ３１］
前記発見スキャン間隔に関連するタイミング情報を前記サービング基地局に送るための手段をさらに備える、
［Ｃ２５］に記載の装置。
［Ｃ３２］
前記タイミング情報は、前記ＵＥが前記サービング基地局からの前記１つまたは複数のダウンリンク送信をスキップする、１つまたは複数のサブフレームの識別情報を備える、
［Ｃ３１］に記載の装置。
［Ｃ３３］
前記サービング基地局と、前記発見スキャンプロシージャに関連する前記発見信号を送信する別のデバイスとの間のタイミング差に基づいて、前記１つまたは複数のサブフレームを選択するための手段をさらに備える、
［Ｃ３２］に記載の装置。
［Ｃ３４］
前記第２の周波数帯域にチューンすることおよびそれからチューンアウェイすることに関連するタイミングパラメータを決定するための手段と、
前記タイミングパラメータを考慮すべき前記１つまたは複数のサブフレームを選択するための手段と
をさらに備える、［Ｃ３２］に記載の装置。
［Ｃ３５］
前記サービング基地局は、第１のネットワークに関連し、前記発見スキャンプロシージャは、第２のネットワークに関連し、前記第１のネットワークは、前記第２のネットワークとは異なる、
［Ｃ２５］に記載の装置。
［Ｃ３６］
前記発見スキャンプロシージャは、デバイスツーデバイス発見プロシージャである、
［Ｃ２５］に記載の装置。
［Ｃ３７］
ワイヤレス通信のためのコードを記憶する非一時的コンピュータ可読媒体であって、前記コードが、
第１の周波数帯域中の第１の周波数を使用してサービング基地局と通信することと、
発見スキャン間隔中に第２の周波数帯域中の第２の周波数上で、発見スキャンプロシージャを実行することに関連する情報を、前記サービング基地局に送信すること、前記第２の周波数は、前記第１の周波数とは異なる、と、
前記発見スキャン間隔中に前記サービング基地局からの１つまたは複数のダウンリンク送信をスキップする能力を識別することと
を行うためにプロセッサによって実行可能な命令を備える、非一時的コンピュータ可読媒体。
［Ｃ３８］
前記発見スキャン間隔中に前記第２の周波数にチューンすることと、
前記発見スキャン間隔中に前記サービング基地局からの前記１つまたは複数のダウンリンク送信をスキップすることと
を行うために前記プロセッサによって実行可能な命令をさらに備える、［Ｃ３７］に記載の非一時的コンピュータ可読媒体。
［Ｃ３９］
前記サービング基地局から応答を受信することと、
前記受信された応答に少なくとも部分的に基づいて、前記発見スキャン間隔中に前記サービング基地局からの前記１つまたは複数のダウンリンク送信の少なくとも一部分をスキップすることと
を行うために前記プロセッサによって実行可能な命令をさらに備える、［Ｃ３７］に記載の非一時的コンピュータ可読媒体。
［Ｃ４０］
サービンング基地局におけるワイヤレス通信のための方法であって、
第１の周波数帯域中の第１の周波数を使用してユーザ機器（ＵＥ）と通信することと、
発見スキャン間隔中に第２の周波数帯域中の第２の周波数上で、前記ＵＥが発見スキャンプロシージャを実行することに関連する情報を、前記ＵＥから受信すること、前記第２の周波数は、前記第１の周波数とは異なる、と、
前記ＵＥが前記発見スキャン間隔中に１つまたは複数のダウンリンク送信をスキップすることを可能にされるかどうかを示す応答を、前記ＵＥに送ることと
を備える、方法。
［Ｃ４１］
前記ＵＥが前記発見スキャン間隔中に前記１つまたは複数のダウンリンク送信をスキップすることが可能であることを示す能力メッセージを、前記ＵＥから受信することをさらに備える、
［Ｃ４０］に記載の方法。
［Ｃ４２］
前記応答は、前記ＵＥが前記発見スキャン間隔中にスキップすることを可能にされる前記１つまたは複数のダウンリンク送信の第１の部分を識別する、
［Ｃ４０］に記載の方法。
［Ｃ４３］
前記応答は、前記ＵＥが前記発見スキャン間隔中にスキップすることを可能にされない前記１つまたは複数のダウンリンク送信の第２の部分を識別する、
［Ｃ４２］に記載の方法。
［Ｃ４４］
前記ＵＥから前記発見スキャン間隔に関連するタイミング情報を受信することをさらに備える、
［Ｃ４０］に記載の方法。
［Ｃ４５］
ワイヤレス通信のための装置であって、
プロセッサと、
前記プロセッサと電子通信しているメモリと、
前記メモリに記憶された命令と
を備え、前記命令は、
第１の周波数帯域中の第１の周波数を使用してユーザ機器（ＵＥ）と通信することと、
発見スキャン間隔中に第２の周波数帯域中の第２の周波数上で、前記ＵＥが発見スキャンプロシージャを実行することに関連する情報を、前記ＵＥから受信すること、前記第２の周波数は、前記第１の周波数とは異なる、と、
前記ＵＥが前記発見スキャン間隔中に１つまたは複数のダウンリンク送信をスキップすることを可能にされるかどうかを示す応答を、前記ＵＥに送ることと
を行うために前記プロセッサによって実行可能である、装置。
［Ｃ４６］
前記ＵＥが前記発見スキャン間隔中に前記１つまたは複数のダウンリンク送信をスキップすることが可能であることを示す能力メッセージを、前記ＵＥから受信することを行うために前記プロセッサによって実行可能な命令をさらに備える、
［Ｃ４５］に記載の装置。
［Ｃ４７］
前記応答は、前記ＵＥが前記発見スキャン間隔中にスキップすることを可能にされる前記１つまたは複数のダウンリンク送信の第１の部分を識別する、
［Ｃ４５］に記載の装置。
［Ｃ４８］
前記応答は、前記ＵＥが前記発見スキャン間隔中にスキップすることを可能にされない前記１つまたは複数のダウンリンク送信の第２の部分を識別する、
［Ｃ４７］に記載の装置。
［Ｃ４９］
前記ＵＥから前記発見スキャン間隔に関連するタイミング情報を受信することを行うために前記プロセッサによって実行可能な命令をさらに備える、
［Ｃ４５］に記載の装置。
［Ｃ５０］
ワイヤレス通信のための装置であって、
第１の周波数帯域中の第１の周波数を使用してユーザ機器（ＵＥ）と通信するための手段と、
発見スキャン間隔中に第２の周波数帯域中の第２の周波数上で、前記ＵＥが発見スキャンプロシージャを実行することに関連する情報を、前記ＵＥから受信するための手段、前記第２の周波数は、前記第１の周波数とは異なる、と、
前記ＵＥが前記発見スキャン間隔中に１つまたは複数のダウンリンク送信をスキップすることを可能にされるかどうかを示す応答を、前記ＵＥに送るための手段と
を備える、装置。
［Ｃ５１］
前記ＵＥが前記発見スキャン間隔中に前記１つまたは複数のダウンリンク送信をスキップすることが可能であることを示す能力メッセージを、前記ＵＥから受信するための手段をさらに備える、
［Ｃ５０］に記載の装置。
［Ｃ５２］
前記応答は、前記ＵＥが前記発見スキャン間隔中にスキップすることを可能にされる前記１つまたは複数のダウンリンク送信の第１の部分を識別する、
［Ｃ５０］に記載の装置。
［Ｃ５３］
前記応答は、前記ＵＥが前記発見スキャン間隔中にスキップすることを可能にされない前記１つまたは複数のダウンリンク送信の第２の部分を識別する、
［Ｃ５２］に記載の装置。
［Ｃ５４］
前記ＵＥから前記発見スキャン間隔に関連するタイミング情報を受信するための手段をさらに備える、
［Ｃ５０］に記載の装置。
［Ｃ５５］
ワイヤレス通信のためのコードを記憶する非一時的コンピュータ可読媒体であって、前記コードは、
第１の周波数帯域中の第１の周波数を使用してユーザ機器（ＵＥ）と通信することと、
発見スキャン間隔中に第２の周波数帯域中の第２の周波数上で、前記ＵＥが発見スキャンプロシージャを実行することに関連する情報を、前記ＵＥから受信すること、前記第２の周波数は、前記第１の周波数とは異なる、と、
前記ＵＥが前記発見スキャン間隔中に１つまたは複数のダウンリンク送信をスキップすることを可能にされるかどうかを示す応答を、前記ＵＥに送ることと
を行うためにプロセッサによって実行可能な命令を備える、非一時的コンピュータ可読媒体。